(57)【要約】【課題】小型化及び長寿命化に好適で構成も簡略化できる多入力型電気部品を提供すること。【解決手段】円筒状の操作部材１１に中央部の係合部１１ｃを境にして外側へ向かってすり鉢形状に広がる挿通孔１１ｂを形成し、この挿通孔１１ｂに挿通した軸部材１２の一端部を回転型電気部品Ｒの回転体８に係合すると共に、操作部材１１の外周面に対向するケース１の底壁１ａに複数のプッシュスイッチＳ１，Ｓ２，Ｓ３を配設する。軸部材１２は係合部１１ｃと係合しており、操作部材１１の回転力が係合部１１ｃを介して軸部材１２に伝達されることで回転型電気部品Ｒが回転動作し、係合部１１ｃを支点に操作部材１１がシーソ操作されることでプッシュスイッチＳ１，Ｓ２，Ｓ３が押圧動作されるようにした。【選択図】　　　図１
2004063467.tif 000002
【特許請求の範囲】
【請求項１】
回転型電気部品と、この回転型電気部品を回転動作する軸部材と、この軸部材が挿通される挿通孔を有する円筒状の操作部材と、この操作部材の外周面に対向配置されたプッシュスイッチとを備え、
前記挿通孔の中央部に係合部を形成し、この係合部を支点として前記操作部材が前記軸部材にシーソ動作可能に支持されると共に、前記操作部材の回転力が前記係合部を介して前記軸部材に伝達されるようになし、前記操作部材のシーソ動作に伴って前記プッシュスイッチが押圧動作されるように構成したことを特徴とする多入力型電気部品。
【請求項２】
請求項１の記載において、前記挿通孔が前記係合部を境にして外方へ向かって漸次大きくなるすり鉢形状となっていることを特徴とする多入力型電気部品。
【請求項３】
請求項１または２の記載において、前記操作部材を上面を開放した駆動体に保持し、この駆動体の下面に前記プッシュスイッチを押圧する突起を設けたことを特徴とする多入力型電気部品。
【発明の詳細な説明】
【０００１】
【発明の属する技術分野】
本発明は、ラジオ、ＣＤレコーダ、自動車のナビゲーション等に使用して好適な多入力型電気部品に係り、特に、回転型電気部品とプッシュスイッチという操作形態の異なる２種類の部品を１つの操作部材で操作する多入力型電気部品に関する。
【０００２】
【従来の技術】
従来における多入力型電気部品は、特開平８ー２０３３８７号で開示されたものがある。
【０００３】
この多入力型電気部品は、図８〜図１１に示すように、操作部材Ｓを、回転することにより回転型電気部品Ｒを操作し、また、操作部材Ｓを、軸方向に対して直角方向に移動させることによりプッシュスイッチＰを操作するものである。
【０００４】
そして、回転型電気部品Ｒは、一対の摺動接片５０ａ、５０ｂを備えた接点体５０を箱形ケース５１に固定し、この箱形ケース５１内には、前記摺動接片５０ａと摺接する接点板５２を固定した回転体５３を、軸５４で回転可能に取り付けた構成となっている。
【０００５】
また、プッシュスイッチＰは、筺体５５内に接点部（図示せず）を設け、筺体５５に移動可能に取り付けられた操作ボタン５６を設けた構成となっている。
【０００６】
また、図１１に示すように、平板状の絶縁基板５８には、回転型電気部品Ｒをガイドするための凹部５８ａと、この凹部５８ａの両側に位置し、回転型電気部品Ｒの抜け止めのための一対のレール５８ｂと、前記凹部５８ａと間隔を置いた凹部５８ｃと、突部５８ｄとが設けられている。
【０００７】
更に、絶縁基板５８には、固定接点５９が、凹部５８ａ内で露出した状態で埋設されている。
【０００８】
そして、絶縁基板５８の凹部５８ａに、回転型電気部品Ｒのケース５１を載置し、且つ、レール５８ｂを、ケース５１の段部５１ａに当接させ、また、突部５８ｄに掛け止めしたねじりバネ６０で、ケース５１を弾圧して、回転型電気部品Ｒが絶縁基板５８に取り付けられている。
【０００９】
そして、回転型電気部品Ｒが取り付けられた際は、摺動接片５０ｂが、絶縁基板５８上の露出した接点５９ａに接触した状態となっている。
【００１０】
また、絶縁基板５８の凹部５８ｃには、プッシュスイッチＰの筺体５５がはめ込まれ、操作ボタン５６が回転型電気部品Ｒのケース５１の突起５１ｂに対向した状態で、プッシュスイッチＰが絶縁基板５８に取り付けられている。
【００１１】
更に、操作部材Ｓが、回転型電気部品Ｒの回転体５３にネジ６１で取り付けられた構成と成っている。
【００１２】
次に、従来の多入力型電気部品の動作を説明すると、先ず、操作部材Ｓを回転すると、この回転に伴って、回転体５３が軸５４を中心に回転する。
【００１３】
すると、回転体５３に取り付けられた接点板５２も回転して、摺動接片５０ａに接離して接点の切り換えが行われ、この切り換えが摺動接片５０ｂと接点５９ａを介して固定接点５９に導出される。
【００１４】
次に、操作部材Ｓを、軸５４の軸方向に対して直角方向、即ち、矢印Ｙ方向に押圧すると、操作部材Ｓは、回転型電気部品Ｒを伴って、ねじりバネ６０に抗して矢印Ｙ方向に移動する。
【００１５】
この時、摺動接片５０ｂは、固定接点５９の接点５９ａ上を摺動して、回転型電気部品Ｒの電気的接続を維持した状態で、ケース５１の突起５１ｂがプッシュスイッチＰの操作ボタン５６を押圧する。
【００１６】
すると、プッシュスイッチＰの接点の切り換えが行われ、しかる後、操作部材Ｓの押圧を解除すると、ねじりバネ６０によって、回転型電気部品Ｒは操作部材Ｓを伴って押圧前の状態に移動する。
【００１７】
この時、摺動接片５０ｂは接点５９ａ上を摺動して、回転型電気部品Ｒの電気的接続を維持すると共に、操作ボタン５６は押圧前の状態に戻り、プッシュスイッチＰの接点の切り換えが行われる。
【００１８】
このようにして、操作部材Ｓを回転することにより回転型電気部品Ｒを操作し、また、操作部材Ｓを軸方向に対して直角方向に移動させることによりプッシュスイッチＰを操作するものである。
【００１９】
【発明が解決しようとする課題】
しかしながら、前述した従来の多入力型電気部品は、操作部材Ｓによって回転型電気部品ＲとプッシュスイッチＰの二つの部品の操作を行うものであるため、多数のスイッチの切り換えを行うことが出来ないという問題がある。
【００２０】
また、操作部材Ｓを軸方向に対して直角方向に移動してプッシュスイッチＰを動作させる時に、操作部材Ｓと一緒に回転型電気部品Ｒが移動するため、スペースファクタが悪く大型に成るという問題がある。
【００２１】
更に、かかる回転型電気部品Ｒの移動時に、回転型電気部品Ｒの電気的接続の維持のため、摺動接片５０ｂを固定接点５９に摺接させる構成を必要とし、このため、長寿命化を図ることが難しく、且つ、その構成が面倒で、コスト高に成るという問題がある。
【００２２】
本発明は、このような従来技術の実情に鑑みてなされたもので、その目的は、小型化及び長寿命化に好適で構成も簡略化できる多入力型電気部品を提供することにある。
【００２３】
【課題を解決するための手段】
上記目的を達成するために、本発明の多入力型電気部品は、回転型電気部品と、この回転型電気部品を回転動作する軸部材と、この軸部材が挿通される挿通孔を有する円筒状の操作部材と、この操作部材の外周面に対向配置されたプッシュスイッチとを備え、前記挿通孔の中央部に係合部を形成し、この係合部を支点として前記操作部材が前記軸部材にシーソ動作可能に支持されると共に、前記操作部材の回転力が前記係合部を介して前記軸部材に伝達されるようになし、前記操作部材のシーソ動作に伴って前記プッシュスイッチが押圧動作されるように構成した。
【００２４】
このように構成された多入力型電気部品では、操作部材の回転力を係合部を介して軸部材に伝達することにより回転型電気部品が回転動作され、また、操作部材を係合部を支点にシーソ動作することによりプッシュスイッチが押圧動作されるため、１つの操作部材の回転操作とシーソ操作によって操作形態の異なる回転型電気部品とプッシュスイッチを動作させることができ、しかも、操作部材のシーソ動作時に回転型電気部品全体が移動することが無いため、スペースファクタが良く小型のものを提供できる。また、回転型電気部品が移動しないため、従来のような摺動接片と固定接点が不要となり、長寿命化が図れると共に、その構成を簡略化して安価なものを提供できる。
【００２５】
上記の構成において、挿通孔が係合部を境にして外方へ向かって漸次大きくなるすり鉢形状となるように構成すると、軸部材の係合部への挿入が容易となり、組立性が向上して生産性を高めることができる。
【００２６】
また、上記の構成において、操作部材を上面を開放した駆動体に保持し、この駆動体の下面にプッシュスイッチを押圧する突起を設けると、プッシュスイッチの配置場所等に自由度を持たせることができる。
【００２７】
【発明の実施の形態】
以下、発明の実施の形態について図面を参照して説明すると、図１は本発明の実施形態例に係る多入力型電気部品の要部断面正面図、図２は図１のＡ−Ａ線における断面側面図、図３は図１のＢ−Ｂ線における断面側面図、図４は該多入力型電気部品の分解斜視図、図５、図６、及び図７は該多入力型電気部品の動作を説明するための要部断面正面図である。
【００２８】
合成樹脂の成型品から成り、上部が開放された箱形のケース１は、矩形状の底壁１ａと、底壁１ａの周辺から上方に延びた四つの側壁１ｂ，１ｃ，１ｄ，１ｅとを有している。また、前記ケース１には、側壁１ｂと一体に成った筺体２が形成され、この筺体２には、円形状の凹部２ａと、この凹部２ａに連設した収納部２ｂと、凹部２ａの中心部に設けられた孔２ｃとが設けられている。更に、前記ケース１には、側壁１ｂと対向する側壁１ｃに、孔２ｃに対向する長孔１ｆが設けられ、また、互いに対向した側壁１ｄと１ｅの中央部の対向した位置に、長孔から成る係止部１ｇ，１ｈと溝１ｋ，１ｍとが設けられた構成となっている。
【００２９】
また、前記ケース１の底壁１ａには、同じ構成を有するプッシュスイッチから成る３個のスイッチＳ１，Ｓ２，Ｓ３が間隔を置いて配設されている。
【００３０】
そして、これらのそれぞれのスイッチＳ１，Ｓ２，Ｓ３は、図１、図４に示すように、底壁１ａに、リング状の固定接点３と中央の接点４とが埋設され、金属のバネ板から成るドーム状の可動接点５が底壁１ａの凹部１ｊに配設され、可動接点５の周辺を、前記固定接点３に当接させると共に、可動接点５の中央部を接点４に対向させて構成し、そして、固定接点３、接点４は、それぞれこれと一体に形成された引き出し端子によって、外部への接続が出来るようになっている。なお、凹部１ｊにはめ込まれた可動接点５は、接着テープ（図示せず）によって、その上面を覆うように底壁１ａと共に貼着される等して保持されている。このように、ケース１の底壁１ａで、スイッチＳ１，Ｓ２，Ｓ３のケースとして兼用すると、部品点数が少なく、安価なものが提供できるが、スイッチＳ１，Ｓ２，Ｓ３は、必要に応じてそれぞれ別体のケースに組み立て、ユニット化されたものを使用しても良い。
【００３１】
また、金属のバネ板から成るＨ状の復帰手段６は、図４に示すように、孔６ａを有する矩形状の板部６ｂと、この板部６ｂの四隅に、下方に折り曲げて設けられたバネ部６ｃと、板部６ｂの両側中央に、上方に折り曲げて設けられた一対の腕部６ｄと、この一対の腕部６ｄに設けられた孔６ｅとを有している。
【００３２】
また、合成樹脂の成型品から成る駆動体７は、下方に突出した３個の突部７ａを有する矩形状の底壁部７ｂと、外側に凸部７ｃを有し、底壁部７ｂの長手周辺から上方に延びた一対の側壁部７ｄと、上部に円弧状の受け部７ｅを有し、底壁部７ｂの短手周辺から上方に延びた一対の側壁部７ｆとを備えている。そして、駆動体７は、復帰手段６の一対の腕部６ｄ間に位置させて、底壁部７ｂが復帰手段６の板部６ｂに重なるようにはめ合わせる。すると、駆動体７の凸部７ｃは、一対の腕部６ｄを外方に押し広げながら進み、凸部７ｃが孔６ｅと一致すると、腕部６ｄがバネ性により元の状態に戻ると共に、凸部７ｃが孔６ｅを貫通して係止して、駆動体７と復帰手段６とが組み合わされる。この時、復帰手段６の板部６ｂと駆動体７の底壁部７ｂとが当接した状態となると共に、駆動体７の下面中央の若干長めの突部７ａは、復帰手段６の孔６ａを貫通して下方に突出し、また、下面両側に位置する二つの突部７ａは、バネ部６ｃ間から下方に突出した状態となっている。
【００３３】
そして、このようにして組み合わされた復帰手段６と駆動体７は、ケース１内に収納されるが、その組み込み構成は図１、図２、図４に示すように、先ず、復帰手段６を下にして、駆動体７の凸部７ｃをケース１の溝１ｋ，１ｍに合わせた状態で、この溝１ｋ，１ｍをガイドにして駆動体７をケース１内に押し込む。すると、復帰手段６のバネ部６ｃが底壁１ａに当接し、更に、このバネ部６ｃのバネ性に抗して駆動体７を押し込むと、凸部７ｃがケース１の係止部１ｇ，１ｈに一致した時、凸部７ｃは外方に開き、凸部７ｃが係止部１ｇ，１ｈに係止されて駆動体７と復帰手段６とがケース１に取り付けられる。そして、組み込まれたこの駆動体７は、復帰手段６によって常時上方に押し圧されており、また、駆動体７は長孔の係止部１ｇ，１ｈ内で上下動可能に成っていると共に、凸部７ｃを支点としてシーソ動作可能となっている。また、駆動体７が組み込まれた際、底壁部７ｂに設けられた３個の突部７ａは、図１に示すように、それぞれスイッチＳ１，Ｓ２，Ｓ３の可動接点５と対向し、各突部７ａでそれぞれの可動接点５を駆動できるように成っている。
【００３４】
また、ロータリスイッチ、ロータリ型エンコーダ等から成る回転型電気部品Ｒを備えていて、この回転型電気部品Ｒは、ケース１と一体の筺体２の凹部２ａ内に回転体８を回転可能に収納し、また、収納部２ｂ内にデテント用バネ９を収納し、更に、筺体２の開放部を覆うように、カバー１０をケース１に取り付けられて構成されている。そして、前記回転体８は、中心部に設けられた非円形状の孔８ａと、外周に設けられたデテント用凹凸部８ｂと、複数個の可動接点８ｃとを有し、孔８ａが筺体２の孔２ｃに対向した状態で筺体２に組み込まれ、また、凹凸部８ｂにはデテント用バネ９が当接して、回転体８の回転に節度を持たせるようになっている。また、合成樹脂の成型品から成る前記カバー１０には、固定接点１０ａが埋設されており、この固定接点１０ａを可動接点８ｃに接触させ、接点の切り換えを、この固定接点１０ａで外部に引き出すように成っている。また、このようにケース１で回転型電気部品Ｒの筺体２を兼用すると、部品点数が少なく、安価で組立性の良好なものが提供できるが、回転型電気部品Ｒがユニット化されたものを使用し、このユニット化されたものをケース１に取り付けるようにしても良い。
【００３５】
また、合成樹脂の成型品等から成る円筒状の操作部材１１は、その円周外面に設けられた刻み部１１ａと、円筒軸方向に設けられた挿通孔１１ｂと、この挿通孔１１ｂ内で、円筒軸方向の中央部に設けられた非円形状の係合部１１ｃと、両端に設けられたリング状の突部１１ｄとを有している。また、前記挿通孔１１ｂは、係合部１１ｃを境にして外方に行くに従って漸次大きくなるようなすり鉢形状となっている。なお、挿通孔１１ｂは、係合部１１ｃの部分を細くして、他の部分は同じ大きさのものでも良い。
【００３６】
また、金属等から成る非円形状の軸部材１２は、断面が矩形状、小判型状等で形成され、非円形状で丸みをなした一端部１２ａと、非円形状の中間部１２ｂと、段部を設けて小径の突部とした他端部１２ｃとを有している。そして、この軸部材１２は、他端部１２ｃ側から操作部材１１の挿通孔１１ｂに挿通されて、他端部１２ｃが挿通孔１１ｃを貫通した状態と成っている。この時、軸部材１２の非円形状の中間部１２ｂは、操作部材１１の非円形状の係合部１１ｃと合致して、操作部材１１の回転動作を軸部材１２に伝達出来るようになっている。
【００３７】
そして、このように組み合わされた軸部材１２と操作部材１１のケース１への組み込みは、復帰手段６と駆動体７がケース１に組み込まれた状態において、先ず、軸部材１２の一端部１２ａを、筺体２の孔２ｃに通して回転体８の非円形状の孔８ａに係合させる。次に、操作部材１１の突部１１ｄを、駆動部７の受け部７ｅの上方に合わせると共に、軸部材１２の他端部１２ｃを、側壁１ｃの長孔１ｆの上方に位置させた状態で、操作部材１１と軸部材１２をケース１内に押し込むと、軸部材１２の他端部１２ｃで側壁１ｃを外方に撓ませ、他端部１２ｃが長孔１ｆと一致すると、他端部１２ｃが長孔１ｆに嵌合すると共に、操作部材１１の突部１１ｄが、駆動体７の円弧状の受け部７ｅに当接した状態となる。この時、操作部材１１は、復帰手段６によって弾圧された駆動体７の一対の受け部７ｅによって上方に押圧され、このため、軸部材１２が操作部材１１により上方に押圧されて、他端部１２ｃが長孔１ｆの上端に当接した状態となり、軸部材１２は底壁１ａと平行状態で取り付けられる。
【００３８】
その結果、操作部材１１は、軸部材１２を回転軸として回転可能になると共に、回転軸方向に対して略直角方向である矢印Ｈ１方向（図５参照）に、復帰手段６のバネ性に抗して移動動作が可能で、且つ、係合部１１ｃを支点として、シーソ動作可能となっている。そして、操作部材１１を回転軸方向に対して略直角方向に移動させた時、軸部材１２は、回転体８の孔８ａに係合した一端部１２ａを支点として、他端部１２ｃが長孔１ｆ内で下方に移動して傾動動作を行うようになっている。なお、回転体８の孔８ａと軸部材１２の一端部１２ａとの係合は、両者を軸線方向に逃げ部分を設けた歯車状の凹凸による噛み合わせにしても良い。そして、このようにして組み立てられた多入力型電気部品は、操作部材１１の回転軸方向に回転型電気部品Ｒが配設され、操作部材１１の回転軸方向に対して直角方向で、操作部材１１に対向した状態でスイッチＳ１，Ｓ２，Ｓ３が配設された状態となっている。
【００３９】
次に、上述のような構成を有する多入力型電気部品の動作を、図１、図５、図６、図７に基づいて説明する。
【００４０】
先ず、図１において、操作部材１１を軸部材１２を回転軸として回転すると、係合部１１ｃによって、軸部材１２が回転する。すると、軸部材１２の一端部１２ａに係合した回転型電気部品Ｒの回転体８は、凹凸部８ｂとデテント用バネ９とによりクリック感を持って回転すると共に、可動接点８ｃが固定接点１０ａと接離して、接点の切り換えが行われ、回転型電気部品Ｒが操作される。
【００４１】
次に、図５に示すように、操作部材１１の回転軸方向に対して略直角方向で、操作部材１１の中央部において、矢印Ｈ１方向に操作部材１１を押圧すると、操作部材１１は、復帰手段６のバネ性に抗して駆動体７を伴って下方に移動する。すると、中央の長めの突部７ａが、中央部に位置した第１のスイッチＳ１の可動接点５を押圧し、可動接点５が反転して接点４に接触して、固定接点３と接点４とをＯＮにして接点の切り換えが行われる。この時、軸部材１２は、回転体８の孔８ａに係合した一端部１２ａを支点として、他端部１２ｃが長孔１ｆ内で下方に移動して傾動動作を行うようになっている。次いで、操作部材１１の矢印Ｈ１方向の押圧を解除すると、復帰手段６によって駆動体６、操作部材１１、及び軸部材１２は元の状態に戻ると共に、突部７ａによる可動接点５への押圧が解除されるため、可動接点５も、元の状態に反転して戻り、スイッチＳ１は、ＯＦＦの状態に切り換えられる。
【００４２】
次に、図６に示すように、操作部材１１の回転軸方向に対して略直角方向で、操作部材１１の中央部より右側において（側壁１ｃに近い側）、矢印Ｈ２方向に操作部材１１を押圧すると、操作部材１１は係合部１１ｃを支点としてシーソ動作すると共に、復帰手段６のバネ性に抗して駆動体７も凸部７ｃを支点としてシーソ動作を行い、右側にある突部７ａは下方に移動する。すると、右側の短めの突部７ａが、右側に位置した第２のスイッチＳ２の可動接点５を押圧し、可動接点５が反転して接点４に接触して、固定接点３と接点４とをＯＮにして接点の切り換えが行われる。この時、軸部材１２は、平行状態を維持して、傾動動作を行うことがないようになっている。次いで、操作部材１１の矢印Ｈ２方向の押圧を解除すると、復帰手段６によって駆動体６、操作部材１１は元の状態に戻ると共に、突部７ａによる可動接点５への押圧が解除されるため、可動接点５も、元の状態に反転して戻り、スイッチＳ２は、ＯＦＦの状態に切り換えられる。
【００４３】
次に、図７に示すように、操作部材１１の回転軸方向に対して略直角方向で、操作部材１１の中央部より左側において（側壁１ｂに近い側）、矢印Ｈ３方向に操作部材１１を押圧すると、前述と同様のに、操作部材１１は係合部１１ｃを支点としてシーソ動作すると共に、復帰手段６のバネ性に抗して駆動体７も凸部７ｃを支点としてシーソ動作を行い、左側にある突部７ａは下方に移動する。
【００４４】
すると、左側の短めの突部７ａが、左側に位置した第３のスイッチＳ３の可動接点５を押圧し、可動接点５が反転して接点４に接触して、固定接点３と接点４とをＯＮにして接点の切り換えが行われる。この時、軸部材１２は、平行状態を維持して、傾動動作を行うことがないようになっている。次いで、操作部材１１の矢印Ｈ３方向の押圧を解除すると、復帰手段６によって駆動体６、操作部材１１は元の状態に戻ると共に、突部７ａによる可動接点５への押圧が解除されるため、可動接点５も、元の状態に反転して戻り、スイッチＳ３は、ＯＦＦの状態に切り換えられる。
【００４５】
上述のような動作により多数のスイッチの切り換えを行うことが出来るが、このような多入力型電気部品を、例えばラジオに使用した場合は、回転型電気部品Ｒを手動による選局に用い、スイッチＳ１をメモリーとして使用して、選局された局をスイッチＳ１でメモリーし、また、スイッチＳ２を、周波数アップによる自動選局に、更に、スイッチＳ３を、周波数ダウンによる自動選局に使用して、自動選局された局をスイッチＳ１でメモリーするようにして使用できるものである。
【００４６】
【発明の効果】
本発明は、以上説明したような形態で実施され、以下に記載されるような効果を奏する。
【００４７】
操作部材の回転力を係合部を介して軸部材に伝達することにより回転型電気部品が回転動作され、また、操作部材を係合部を支点にシーソ動作することによりプッシュスイッチが押圧動作されるため、１つの操作部材の回転操作とシーソ操作によって操作形態の異なる回転型電気部品とプッシュスイッチを動作させることができ、しかも、操作部材のシーソ動作時に回転型電気部品全体が移動することが無いため、スペースファクタが良く小型の多入力型電気部品を提供できる。また、回転型電気部品が移動しないため、従来のような摺動接片と固定接点が不要となり、長寿命化が図れると共に、その構成を簡略化して安価な多入力型電気部品を提供できる。
【図面の簡単な説明】
【図１】本発明の実施形態例に係る多入力型電気部品の要部断面正面図である。
【図２】図１のＡ−Ａ線における断面側面図である。
【図３】図１のＢ−Ｂ線における断面側面図である。
【図４】該多入力型電気部品の分解斜視図である。
【図５】該多入力型電気部品の動作を説明するための要部断面正面図である。
【図６】該多入力型電気部品の動作を説明するための要部断面正面図である。
【図７】該多入力型電気部品の動作を説明するための要部断面正面図である。
【図８】従来例に係る多入力型電気部品の斜視図である。
【図９】該多入力型電気部品の要部断面図である。
【図１０】該多入力型電気部品の要部断面図である。
【図１１】該多入力型電気部品に備えられる絶縁基板の斜視図である。
【符号の説明】
１　ケース
１ａ　底壁
１ｂ、１ｃ，１ｄ，１ｅ　側壁
１ｆ　長孔
１ｇ，１ｈ　係止部
１ｊ　凹部
１ｋ，１ｍ　溝
２　筺体
２ａ　凹部
２ｂ　収納部
２ｃ　孔
Ｓ１，Ｓ２，Ｓ３　スイッチ（プッシュスイッチ）
３　固定接点
４　接点
５　可動接点
６　復帰手段
６ａ　孔
６ｂ　板部
６ｃ　バネ部
６ｄ　腕部
６ｅ　孔
７　駆動体
７ａ　突部
７ｂ　底壁部
７ｃ　凸部
７ｄ　側壁部
７ｅ　受け部
７ｆ　側壁部
Ｒ　回転型電気部品
８　回転体
８ａ　孔
８ｂ　凹凸部
８ｃ　可動接点
９　バネ
１０　カバー
１０ａ　固定接点
１１　操作部材
１１ａ　刻み部
１１ｂ　挿通孔
１１ｃ　係合部
１１ｄ　突部
１２　軸部材
１２ａ　一端部
１２ｂ　中間部
１２ｃ　他端部
【図１】
2004063467.tif 000003
【図２】
2004063467.tif 000004
【図３】
2004063467.tif 000005
【図４】
2004063467.tif 000006
【図５】
2004063467.tif 000007
【図６】
2004063467.tif 000008
【図７】
2004063467.tif 000009
【図８】
2004063467.tif 000010
【図９】
2004063467.tif 000011
【図１０】
2004063467.tif 000012
【図１１】
2004063467.tif 000013